(57)【要約】【課題】塗装ガンの分解洗浄や、洗浄液による洗浄、塗料の常時循環、作業者が塗装ガンを振ることで沈殿を解消、といった手段を講じなくても、長時間にわたり安定した塗料噴霧を維持できるようにした塗装ガンを提供する。【解決手段】先細りのニードル４を軸心方向に移動自在に内蔵し且つ該ニードル４の先端で塗料の吐出口５を開閉し得るようにした塗装ガン１に関し、塗料の吐出を停止し得るよう前記ニードル４の先端を前記吐出口５に圧接させる全閉ポジションと、塗料を噴霧するために吐出口５を微小開度で開き得るよう前記ニードル４の先端を前記吐出口５から僅かに後退させる塗装ポジションと、塗料を勢い良く吐出し得るよう前記ニードル４の先端を前記吐出口５から所定開度以上に後退させる全開ポジションの三つの移動位置を適宜に選択し得るように構成する。【選択図】図５
2009291738.tif 000002
【特許請求の範囲】
【請求項１】
先細りのニードルを軸心方向に移動自在に内蔵し且つ該ニードルの先端で塗料の吐出口を開閉し得るようにした塗装ガンにおいて、塗料の吐出を停止し得るよう前記ニードルの先端を前記吐出口に圧接させる全閉ポジションと、塗料を噴霧するために吐出口を微小開度で開き得るよう前記ニードルの先端を前記吐出口から僅かに後退させる塗装ポジションと、塗料を勢い良く吐出し得るよう前記ニードルの先端を前記吐出口から所定開度以上に後退させる全開ポジションの三つの移動位置を適宜に選択し得るように構成したことを特徴とする塗装ガン。
【請求項２】
ニードルを全閉ポジションに付勢し且つその付勢力に抗してニードルを後退させ得るように構成すると共に、該ニードルの後退位置を塗装ポジションと全開ポジションとに適宜に変更し得るように構成したことを特徴とする請求項１に記載の塗装ガン。
【請求項３】
ニードルの基端に一体的に装着された第一のピストンと、該第一のピストンをニードルの移動方向に摺動自在に抱持する第一のシリンダと、該第一のシリンダ内で第一のピストンをニードルが全閉ポジションに進出するよう付勢する弾発体と、該弾発体の付勢力に抗してニードルが後退するよう第一のシリンダにエア圧を供給する第一のエア供給流路と、第一のピストンに反ニードル側から当接して後退位置を規定する第二のピストンと、該第二のピストンをニードルの移動方向に摺動自在に抱持する第二のシリンダと、ニードルの後退位置を塗装ポジションに規定する位置で第二のピストンの進出を止めるストッパと、該ストッパにより止められる位置まで第二のピストンを進出させるようエア圧を第二のシリンダに供給する第二のエア供給流路とを備え、該第二のエア供給流路を通したエア圧の喪失時に第二のピストンがニードルの後退位置を全開ポジションに規定する位置まで後退し得るように構成したことを特徴とする請求項１又は２に記載の塗装ガン。
【発明の詳細な説明】
【技術分野】
【０００１】
本発明は、塗装ガンに関するものである。
【背景技術】
【０００２】
一般的に、塗装ガンによりワークに塗料（特に粉体を含む塗料）を噴霧して塗装を行うことが行われているが、その塗料（粉体）の沈殿により塗装ガンの吐出量が変化して安定した塗装が難しくなることがある。
【０００３】
特に極めて薄い塗装膜を重ね塗りして膜厚の誤差が少ない塗装膜を形成したい場合等では、微少塗料噴霧を行うために開位置での塗装ノズルの開きが非常に小さなものとなることから該塗装ノズルに詰まりが生じ易く、塗装ガンの吐出量を長時間にわたり安定化させることが難しかった。
【０００４】
このような不具合を防止するため、従来においては、塗装ガンの定期的な分解洗浄や、洗浄液による洗浄、塗料の常時循環、作業者が塗装ガンを振ることで沈殿を解消、といった手段を講じて塗装ガンの吐出量の長時間にわたる安定化を実現するようにしている。
【０００５】
尚、この種の塗装ガンにおける塗料の沈殿対策に関連する先行技術文献情報としては、例えば、下記の特許文献１や特許文献２等が既に存在している。
【特許文献１】特開平６−１６５９５８号公報
【特許文献２】特開２００７−１７５５５７号公報
【発明の開示】
【発明が解決しようとする課題】
【０００６】
しかしながら、塗装ガンを定期的に分解洗浄する場合は、その分解洗浄を比較的高頻度に行わなければならなくなって作業効率の大幅な低下を招くという問題があり、洗浄液による洗浄を行う場合には、洗浄液の準備、洗浄液配管、容器、弁の設置等が必要となって機器の構成が複雑化するという問題があった。
【０００７】
また、塗料を常時循環するとしても、塗装ガンの塗装ノズルの先端部まで塗料を循環させることは困難であるため、塗料を循環できない部分が生じて沈殿部位が残ってしまうという問題があった。
【０００８】
更に、作業者が塗装ガンを振って沈殿を解消する場合は、作業者による人為的な操作が不可欠となるため、特に極めて薄い塗装膜を重ね塗りして膜厚の誤差が少ない塗装膜を形成する場合のような詰まりが生じ易い塗装工程の自動化を実現するのに大きな障害となるという問題があった。
【０００９】
本発明は、上述の実情に鑑みてなしたもので、塗装ガンの分解洗浄や、洗浄液による洗浄、塗料の常時循環、作業者が塗装ガンを振ることで沈殿を解消、といった手段を講じなくても、長時間にわたり安定した塗料噴霧を維持できるようにした塗装ガンを提供することを目的としている。
【課題を解決するための手段】
【００１０】
本発明は、先細りのニードルを軸心方向に移動自在に内蔵し且つ該ニードルの先端で塗料の吐出口を開閉し得るようにした塗装ガンにおいて、塗料の吐出を停止し得るよう前記ニードルの先端を前記吐出口に圧接させる全閉ポジションと、塗料を噴霧するために吐出口を微小開度で開き得るよう前記ニードルの先端を前記吐出口から僅かに後退させる塗装ポジションと、塗料を勢い良く吐出し得るよう前記ニードルの先端を前記吐出口から所定開度以上に後退させる全開ポジションの三つの移動位置を適宜に選択し得るように構成したことを特徴とするものである。
【００１１】
而して、このようにすれば、ニードルを塗装ポジションとして吐出口を微小開度で開きながら塗料を噴霧して塗装を行い、その終了時にニードルを全閉ポジションとしてニードルの先端を吐出口に圧接させて塗料の吐出を停止し、次に塗装を再開する前に、ワークから離した所定場所にてニードルを全開ポジションとし、塗料を勢い良く吐出させて塗料の詰まりを除去することが可能となる。
【００１２】
また、本発明においては、ニードルを全閉ポジションに付勢し且つその付勢力に抗してニードルを後退させ得るように構成すると共に、該ニードルの後退位置を塗装ポジションと全開ポジションとに適宜に変更し得るように構成することが好ましい。
【００１３】
更に、本発明をより具体的に実施するに際しては、例えば、ニードルの基端に一体的に装着された第一のピストンと、該第一のピストンをニードルの移動方向に摺動自在に抱持する第一のシリンダと、該第一のシリンダ内で第一のピストンをニードルが全閉ポジションに進出するよう付勢する弾発体と、該弾発体の付勢力に抗してニードルが後退するよう第一のシリンダにエア圧を供給する第一のエア供給流路と、第一のピストンに反ニードル側から当接して後退位置を規定する第二のピストンと、該第二のピストンをニードルの移動方向に摺動自在に抱持する第二のシリンダと、ニードルの後退位置を塗装ポジションに規定する位置で第二のピストンの進出を止めるストッパと、該ストッパにより止められる位置まで第二のピストンを進出させるようエア圧を第二のシリンダに供給する第二のエア供給流路とを備え、該第二のエア供給流路を通したエア圧の喪失時に第二のピストンがニードルの後退位置を全開ポジションに規定する位置まで後退し得るように構成することが好ましい。
【発明の効果】
【００１４】
上記した本発明の塗装ガンによれば、下記の如き種々の優れた効果を奏し得る。
【００１５】
（Ｉ）これまでニードルの移動位置が全閉ポジションと塗装ポジションの二つしかなかった塗装ガンに新たに全開ポジションを追加したことにより、ワークから離した所定場所にてニードルを全開ポジションとし、塗料を勢い良く吐出させて塗料の詰まりを除去することができるので、塗装ガンの分解洗浄や、洗浄液による洗浄、塗料の常時循環、作業者が塗装ガンを振ることで沈殿を解消、といった手段を講じなくても、長時間にわたり安定した塗料噴霧を維持することができる。
【００１６】
（ＩＩ）塗装ガンの分解洗浄を高頻度に行わなくても、長時間にわたり安定した塗料噴霧を維持することができるので、塗装ガンの分解洗浄の頻度を下げて分解洗浄のための塗装作業の休止時間を減らすことができ、これにより塗装工程の作業効率を従来よりも大幅に向上することができる。
【００１７】
（ＩＩＩ）洗浄液による洗浄を行わなくても、実塗料吐出による洗浄で塗料の詰まりを除去することができるので、洗浄液の準備、洗浄液配管、容器、弁の設置等を不要として機器の構成の複雑化を回避することができる。
【００１８】
（ＩＶ）塗料を勢い良く吐出させて塗料の詰まりを除去するようにしているので、塗料の常時循環を採用した場合の如き塗料を循環できない沈殿部位が残ってしまう虞れを解消することができる。
【００１９】
（Ｖ）作業者が塗装ガンを振って沈殿を解消するといった人為的な操作が不要となるため、特に極めて薄い塗装膜を重ね塗りして膜厚の誤差が少ない塗装膜を形成する場合のような詰まりが生じ易い塗装工程の自動化を容易に実現することができる。
【発明を実施するための最良の形態】
【００２０】
以下本発明の実施の形態を図面を参照しつつ説明する。
【００２１】
図１〜図５は本発明を実施する形態の一例を示すもので、ここに図示している例では、筒体内に挿入して該筒体の内面を塗装するような形式の塗装ガン１の場合を例示しており、筒体内に挿入可能なガン本体２の先端部に、噴霧用エアと塗料とを分けて導き得るよう二重管構造とした塗装ノズル３を備え、この塗装ノズル３の先端で軸心に対し直角方向に塗料を噴霧し得るようにしたものとなっている。
【００２２】
そして、本形態例の塗装ガン１においては、先細りのニードル４を軸心方向に移動自在に内蔵し且つ該ニードル４の先端で塗料の吐出口５を開閉し得るようにしてあるが、一般的に、この種の既存の塗装ガン１が、塗料の吐出を停止し得るよう前記ニードル４の先端を前記吐出口５に圧接させる全閉ポジション（図１の状態）と、塗料を噴霧するために吐出口５を微小開度で開き得るよう前記ニードル４の先端を前記吐出口５から僅かに後退させる塗装ポジション（図４の状態）の二つしかニードル４の移動位置を備えていなかったのに対し、塗料を勢い良く吐出し得るよう前記ニードル４の先端を前記吐出口５から所定開度以上に後退させる全開ポジション（図５の状態）を新たなニードル４の移動位置として備えているところを特徴としている。
【００２３】
即ち、塗装ノズル３に対し塗料を送り出し得るようガン本体２の先端部に前記吐出口５が設けられ、該吐出口５に対し進退動し得るよう前記ガン本体２の先端部寄りの軸心部分に前記ニードル４が内蔵されるようになっており、該ニードル４の基端には、ピストン６（第一のピストン）が一体的に装着され、該ピストン６がシリンダ７（第一のシリンダ）により前記ニードル４の移動方向に摺動自在に抱持されるようにしてある。
【００２４】
また、前記シリンダ７内には、前記ニードル４を全閉ポジションに進出させるよう前記ピストン６を付勢する圧縮ばね８（弾発体）が配設されていると共に、前記シリンダ７の前端部には、部材内部に穿設された流路やエアチューブ等から成るエア供給流路９（第一のエア供給流路）が接続されており、該エア供給流路９を通してエア圧を供給した際に前記圧縮ばね８の付勢力に抗してニードル４及びピストン６が後退するようにしてある。
【００２５】
更に、前記ピストン６に後方（反ニードル４側）から当接して後退位置を規定するピストン１０（第二のピストン）が備えられ、該ピストン１０がシリンダ１１（第二のシリンダ）によりニードル４の移動方向に摺動自在に抱持されている。
【００２６】
このピストン１０は、前記シリンダ１１の内周面に摺接する嵌合部１０ａと、これより小径のニードル４側へ突き出すロッド部１０ｂとを備えており、該ロッド部１０ｂが前記シリンダ１１の前壁を貫通して前側のシリンダ７内に張り出すようになっている。
【００２７】
ここで、前記ピストン１０は、前方へ向け最大に進出しても、自身が抱持されているシリンダ１１の前壁をストッパ１２として嵌合部１０ａが係止されることにより、ニードル４の後退位置を塗装ポジションに規定する位置で止まるようになっており、また、自身が抱持されているシリンダ１１の後壁まで後退した際には、前記ロッド部１０ｂが前側のシリンダ７内に張り出さないようになっている。
【００２８】
そして、前記後側のシリンダ１１の後端部には、部材内部に穿設された流路やエアチューブ等から成るエア供給流路１３（第二のエア供給流路）が接続されており、該エア供給流路１３を通してエア圧を供給した際に前記ピストン１０がストッパ１２により止められる位置まで進出するようにしてある。
【００２９】
尚、図２や図３（図３は図１の断面に対し９０゜位相の異なる断面）に示してある通り、ニードル４の周囲に吐出口５と連通するように形成されている塗料流入空間１４に対し、部材内部に穿設された流路やチューブ等から成る塗料供給流路１５を通して塗料が供給され、吐出口５から吐出されなかった余剰の塗料が、部材内部に穿設された流路やチューブ等から成る塗料回収流路１６を通して回収されるようになっており、また、噴霧用エアは、部材内部に穿設された流路やチューブ等から成る噴霧用エア供給流路１７を通して前述の塗装ノズル３へと供給されるようになっている。
【００３０】
而して、このように塗装ガン１を構成した場合、後側のシリンダ１１の後端部にエア供給流路１３からエア圧を供給して後側のピストン１０をストッパ１２により止められる位置まで進出させる一方、前側のシリンダ７の前端部にエア供給流路９からエア圧を供給して前側のピストン６を圧縮ばね８の付勢力に抗し後退させると、図４に示す如く、前側のピストン６が後側のピストン１０のロッド部１０ｂにより後退位置を規定され、ニードル４の移動位置が塗装ポジションに決まり、吐出口５を微小開度で開きながら塗料を噴霧して塗装を行うことが可能となる。
【００３１】
次いで、塗装の終了時に、エア供給流路９から前側のシリンダ７の前端部へのエア圧の供給を停止すると、図１に示す如く、前側のピストン６が圧縮ばね８の付勢力により前方へ進出し、ニードル４の移動位置が全閉ポジションに決まり、ニードル４の先端が吐出口５に圧接して塗料の吐出が停止される。
【００３２】
そして、次に塗装を再開する前に、ワーク（筒体）から離した所定場所において、前側のシリンダ７の前端部にエア供給流路９からエア圧を供給して前側のピストン６を圧縮ばね８の付勢力に抗し後退させる一方、エア供給流路１３から後側のシリンダ１１の後端部へのエア圧の供給を停止すると、後側のピストン１０が前側のピストン６の後退位置を塗装ポジションに規定する力を失い、前側のピストン６がエア圧により後退するのに追従して後側のピストン１０もシリンダ１１の後壁まで後退する結果、ニードル４の移動位置が全開ポジションに決まり、塗料を勢い良く吐出させて塗料の詰まりを除去することが可能となる。
【００３３】
従って、上記形態例によれば、これまでニードル４の移動位置が全閉ポジションと塗装ポジションの二つしかなかった塗装ガン１に新たに全開ポジションを追加したことにより、ワークから離した所定場所にてニードル４を全開ポジションとし、塗料を勢い良く吐出させて塗料の詰まりを除去することができるので、塗装ガン１の分解洗浄や、洗浄液による洗浄、塗料の常時循環、作業者が塗装ガン１を振ることで沈殿を解消、といった手段を講じなくても、長時間にわたり安定した塗料噴霧を維持することができる。
【００３４】
また、塗装ガン１の分解洗浄を高頻度に行わなくても、長時間にわたり安定した塗料噴霧を維持することができるので、塗装ガン１の分解洗浄の頻度を下げて分解洗浄のための塗装作業の休止時間を減らすことができ、これにより塗装工程の作業効率を従来よりも大幅に向上することができる。
【００３５】
更に、洗浄液による洗浄を行わなくても、実塗料吐出による洗浄で塗料の詰まりを除去することができるので、洗浄液の準備、洗浄液配管、容器、弁の設置等を不要として機器の構成の複雑化を回避することができる。
【００３６】
また、塗料を勢い良く吐出させて塗料の詰まりを除去するようにしているので、塗料の常時循環を採用した場合の如き塗料を循環できない沈殿部位が残ってしまう虞れを解消することができる。
【００３７】
しかも、作業者が塗装ガン１を振って沈殿を解消するといった人為的な操作が不要となるため、特に極めて薄い塗装膜を重ね塗りして膜厚の誤差が少ない塗装膜を形成する場合のような詰まりが生じ易い塗装工程の自動化を容易に実現することができる。
【００３８】
尚、本発明の塗装ガンは、上述の形態例にのみ限定されるものではなく、図１〜図５では筒体内に挿入して該筒体の内面を塗装するような形式の塗装ガンについて説明しているが、同じ筒体の外面、或いは全く別のワークの外面を塗装するような形式の塗装ガンにも同様に適用できることは勿論であり、この場合は塗装ノズルを省略して吐出口にて噴霧用エアにより塗料を噴霧し得るようにすれば良いこと、その他、本発明の要旨を逸脱しない範囲内において種々変更を加え得ることは勿論である。
【図面の簡単な説明】
【００３９】
【図１】本発明を実施する形態の一例を全閉ポジションで示す断面図である。
【図２】図１のＩＩ−ＩＩ矢視の断面図である。
【図３】図１の断面に対し９０゜位相の異なる断面で示す図である。
【図４】本発明を実施する形態の一例を塗装ポジションで示す断面図である。
【図５】本発明を実施する形態の一例を全開ポジションで示す断面図である。
【符号の説明】
【００４０】
１  塗装ガン
４  ニードル
５  吐出口
６  ピストン（第一のピストン）
７  シリンダ（第一のシリンダ）
８  圧縮ばね（弾発体）
９  エア供給流路（第一のエア供給流路）
１０  ピストン（第二のピストン）
１１  シリンダ（第二のシリンダ）
１２  ストッパ
１３  エア供給流路（第二のエア供給流路）
【図１】
2009291738.tif 000003
【図２】
2009291738.tif 000004
【図３】
2009291738.tif 000005
【図４】
2009291738.tif 000006
【図５】
2009291738.tif 000007